(57)【要約】 【課題】  ケーブルの端子と接する端子接続面を任意の角度に調整することができる外部端子を有したノイズ除去装置を提供することにある。【解決手段】  本発明は、ノイズ除去装置１の外部端子４の端子接続面７１を任意の角度に回転させて調整できるようにしたものである。箱状の筐体２と、筐体２に収納された図示していないノイズ除去回路と、筐体２の側面に配置された電気絶縁材からなる絶縁部３と、絶縁部３を介して前記ノイズ除去回路と接続された外部端子４とを備えたノイズ除去装置１は、端面５１と第１ネジ穴５２とを備えた第１導電部５と、第１貫通孔５３と第２ネジ穴６２とを備えた第２導電部６と、第２貫通孔６３と端子接続面７１と端子ネジ穴７２とを備えた端子接続部７と、第１ネジ穴５２に螺合する第１ネジ８と、第２ネジ穴６２に螺合する第２ネジ９と、及び端子ネジ穴７２螺合する端子ネジ１０とから形成できる。【選択図】  図１
2010166204.tif 000002
【特許請求の範囲】
【請求項１】
箱状の筐体と、ノイズを除去するノイズ除去回路と、電気絶縁部材からなる絶縁部と、外部接続端子とを有するノイズ除去装置であって、
前記外部端子は、第１導電部及び第１ネジと、第２導電部及び第２ネジと、端子接続部及び端子ネジとを有し、
前記第１導電部は、柱状の導電性の金属からなり、一方の端面に前記第１ネジに螺合する第１ネジ穴を有し、別の端面が前記絶縁部の外面に対向するように配置され、前記絶縁部を介して前記ノイズ除去回路と電気的に接続され、
前記第２導電部は、直方体の導電性の金属からなり、１つの対向面の中央に前記第１ネジが挿通できる第１貫通孔を有し、該対向面の側面に前記第２ネジに螺合する第２ネジ穴を有し、前記第１貫通孔を有する面の一方が、前記第１導電部の前記第１ネジ穴を有する端面に対向するように配置され、前記第１貫通孔に前記第１ネジを挿通してネジ止めされて前記第１導電部に電気的に接続され、
前記端子接続部は、直方体の導電性の金属からなり、１つの対向面の中央に前記第２ネジが挿通できる第２貫通孔を有し、該対向面の側面に前記端子ネジに螺合する端子ネジ穴を有し、前記第２貫通孔を有する面の一方が、前記第２導電部の第２ネジ穴を有する面に対向するように配置され、前記第２貫通孔に前記第２ネジを挿通してネジ止めされて前記第２導電部に電気的に接続され、
前記端子接続部の前記端子ネジ穴を設けた面を端子接続面としたことを特徴とするノイズ除去装置。
【請求項２】
前記第２導電部の第１貫通孔が設けられた面を形成する辺の長さが、前記第１導電部の第１ネジ穴を有する端面を含む平面上における、前記第１ネジ穴を中心とし、前記端面の形状に外接する円の直径より長いことを特徴とする請求項１に記載のノイズ除去装置。
【請求項３】
前記端子接続部の第２貫通孔が設けられた面の対角線の長さが、前記第２導電部の第１ネジ穴を設けられた面を形成する辺の長さより、短いことを特徴とする請求項１に記載のノイズ除去装置。
【発明の詳細な説明】
【技術分野】
【０００１】
本発明は、電流が流れるケーブルを介して伝搬する電気雑音（以下、ノイズと表記）を除去するためのノイズ除去装置に関し、特にケーブルとノイズ除去装置を接続するためのノイズ除去装置に設けられる外部端子の構造に関する。
【背景技術】
【０００２】
電子機器や電動機器などは、機器内部で生じたノイズの他への伝搬を抑制し、かつ他の機器で生じたノイズが浸入しても誤作動等の影響を受けないようにすることが情報処理装置等電波障害自主規制協議会（ＶＣＣＩ）、国際無線障害特別委員会（ＣＩＳＰＲ）などのノイズ対策規格によって定められている。このため、ノイズ問題を抱える電子機器は、自らが発生させたノイズの伝搬を阻止し、かつ他から伝搬してくるノイズを抑制するため、一般に電流が伝達するケーブルと電子機器との間にノイズを減衰させるノイズ除去装置を設けることでノイズ対策が図られている。
【０００３】
図３は、従来のノイズ除去装置を説明する斜視図である。
従来のノイズ除去装置１は、底部が開口された筐体２と、前記筐体２に収納された図示していないコイルやコンデンサ、サージアブソーバ、バリスタなどの電子部品が回路基板に実装されてノイズを除去するようなフィルタ回路等に配線されてなるノイズ除去回路と、前記筐体２の対向する二つの側面に配置された電気絶縁材からなる絶縁部３と、前記絶縁部３を介してノイズ除去回路と電気的に接続され、筐体２の開口部に設けられた外部端子４と、前記ノイズ除去回路の一部が接地された金属の底板とから形成している。
【０００４】
各々の外部端子４は、導電性の金属体からなる端子接続部７が形成され、端子接続部７には、筐体２の底面と平行な面を有す端子接続面７１と端子ネジ１０とから形成されている。なお、端子接続面７１には、端子ネジ１０に螺合する図示していない端子ネジ穴が形成され、前記端子ネジ穴を用いてノイズ除去装置１に電流を通電する図示していないケーブルの端子を端子接続面７１と端子ネジ１０との間に挟み込み端子ネジ穴に螺合する端子ネジ１０を用いてネジ止めして電気的に接続している。
【０００５】
一般にノイズ除去装置に接続されるケーブルの端子は、接続の作業性とその信頼性からケーブル導体の端部に導電性の圧着端子が取り付けられている。図示していない圧着端子は、導電性の金属からなり、端子ネジを挿入できる孔を備えた円環の接続部と、前記円環と直交する方向にケーブルの導体を挿入してかしめることができる円筒状のかしめ部とが連通されて形成している。例えば、このようなノイズ除去装置１は、特許文献１に開示されている。
【先行技術文献】
【特許文献】
【０００６】
【特許文献１】特開昭６２−２４５７１３号公報
【発明の概要】
【発明が解決しようとする課題】
【０００７】
しかしながら、特許文献１のノイズ除去装置では、交流電流を通電するケーブルを接続する端子接続面の角度がノイズ除去装置の底面に対して平行方向に固定して形成されているため、ケーブルを端子接続面に対して垂直方向や斜め方向などより配線されて接続する場合には、端子接続面と圧着端子との接する面の角度を合わせるためにケーブルや圧着端子を折り曲げて角度を調整する作業が必要であると言う問題と、ケーブルを折り曲げることでケーブルにストレスが加わりケーブルの信頼性が低下すると言う問題とがある。
【０００８】
また、端子接続面に対して圧着端子の面にねじれが生じている場合には、ねじれを取りながら作業を行う必要があると言う問題と、無理にねじれを取ることにより、ケーブルにストレスが加わりケーブルの信頼性が低下すると言う問題とがある。
【０００９】
本発明の技術的課題は、ケーブルの端子と接する端子接続面を任意の角度に調整することができる外部端子を有したノイズ除去装置を提供することにある。
【課題を解決するための手段】
【００１０】
上記課題を解決するために本発明は、ノイズ除去装置において、外部端子の端子接続面を任意の角度に調整できるようにしたものである。
【００１１】
本発明のノイズ除去装置は、箱状の筐体と、ノイズを除去するノイズ除去回路と、電気絶縁部材からなる絶縁部と、外部端子とから構成される。
【００１２】
前記外部端子は、第１導電部及び第１ネジと、第２導電部及び第２ネジと、端子接続部及び端子ネジとから構成される。
なお、前記第１導電部及び前記第１ネジと、前記第２導電部及び前記第２ネジと、前記端子接続部及び前記端子ネジとは、比抵抗の低い銅を主体とした合金等から形成し、その表面は、メッキ加工等によって酸化や腐食、磨耗などを防ぐことによって接触抵抗が増大しないように形成するのが好ましい。
【００１３】
前記第１導電部は、柱状の導電性の金属からなり、一方の端面に前記第１ネジに螺合する第１ネジ穴を設け、別の端面を前記絶縁部の外面に対向するように配置し、前記絶縁部を介して前記ノイズ除去回路と電気的に接続して形成される。
なお、第１導電部は、中心を軸に対称となる円形や四角形、六角形、八角形などの面を有する柱状に形成するのが好ましい。
【００１４】
前記第２導電部は、直方体の導電性の金属からなり、１つの対向面の中央に前記第１ネジが挿通できる第１貫通孔を設け、該対向面の側面に前記第２ネジに螺合する第２ネジ穴を設け、前記第１貫通孔を有する面の一方を前記第１導電部の第１ネジ穴を有する端面と対向するように配置し、前記第１貫通孔に前記第１ネジを挿通してネジ止めされて前記第１導電部に電気的に接続して形成される。
【００１５】
前記端子接続部は、直方体の導電性の金属からなり、１つの対向面の中央に前記第２ネジが挿通できる第２貫通孔を設け、該対向面の側面に前記端子ネジに螺合する端子ネジ穴を設けた端子接続面を形成し、前記第２貫通孔を有する面の一方を前記第２導電部の第２ネジ穴を有する面と対向するように配置し、前記第２貫通孔に前記第２ネジを挿通してネジ止めされて前記第２導電部に電気的に接続して形成される。
【００１６】
前記端子接続面には、前記端子ネジに螺合する端子ネジをネジ止めされて電気的に接続されている。
【００１７】
前記第２導電部の前記第１貫通孔が設けられた面の辺は、前記第１導電部の前記第１ネジ穴を有する前記端面を含む平面上における、前記第１ネジ穴を中心とした前記端面の形状に外接する円の直径より長く形成することによりできる。
【００１８】
前記端子接続部の前記第２貫通孔が設けられた面の対角線は、前記第２導電部の前記第２ネジ穴を有する面を形成する辺の長さより、短く形成することによりできる。
【００１９】
本発明のノイズ除去装置は、第２導電部と端子接続部とを第１貫通孔と第２貫通孔を軸に任意の回転角に調整し、第１ネジと第２ネジを用いて固定され、端子接続面を所望の角度に形成することができる。
【００２０】
本発明によれば、箱状の筐体と、ノイズを除去するノイズ除去回路と、電気絶縁部材からなる絶縁部と、外部接続端子とを有するノイズ除去装置であって、前記外部端子は、第１導電部及び第１ネジと、第２導電部及び第２ネジと、端子接続部及び端子ネジとを有し、前記第１導電部は、柱状の導電性の金属からなり、一方の端面に前記第１ネジに螺合する第１ネジ穴を有し、別の端面が前記絶縁部の外面に対向するように配置され、前記絶縁部を介して前記ノイズ除去回路と電気的に接続され、  前記第２導電部は、直方体の導電性の金属からなり、１つの対向面の中央に前記第１ネジが挿通できる第１貫通孔を有し、該対向面の側面に前記第２ネジに螺合する第２ネジ穴を有し、前記第１貫通孔を有する面の一方が、前記第１導電部の第１ネジ穴を有する端面に対向するように配置され、前記第１貫通孔に前記第１ネジを挿通してネジ止めされて前記第１導電部に電気的に接続され、
前記端子接続部は、直方体の導電性の金属からなり、１つの対向面の中央に前記第２ネジが挿通できる第２貫通孔を有し、該対向面の側面に前記端子ネジに螺合する端子ネジ穴を有し、前記第２貫通孔を有する面の一方が、前記第２導電部の第２ネジ穴を有する面に対向するように配置され、前記第２貫通孔に前記第２ネジを挿通してネジ止めされて前記第２導電部に電気的に接続され、  前記端子接続部の前記端子ネジ穴を設けた面を端子接続面としたことを特徴とするノイズ除去装置が得られる。
【００２１】
本発明によれば、前記第２導電部の第１貫通孔が設けられた面を形成する辺の長さが、前記第１導電部の第１ネジ穴を有する端面を含む平面上における、前記第１ネジ穴を中心とし、前記端面の形状に外接する円の直径より長いことを特徴とするノイズ除去装置が得られる。
【００２２】
本発明によれば、前記端子接続部の第２貫通孔が設けられた面の対角線の長さが、前記第２導電部の第１ネジ穴を設けられた面を形成する辺の長さより、短いことを特徴とするノイズ除去装置が得られる。
【発明の効果】
【００２３】
本発明により、ケーブルの端子と接する端子接続面を任意の角度に調整することができる外部端子を有したノイズ除去装置の提供が可能となった。
【図面の簡単な説明】
【００２４】
【図１】本発明のノイズ除去装置を説明する図。図１（ａ）は斜視図。図１（ｂ）は、外部端子を分解した拡大斜視図。
【図２】圧着端子を有したケーブルをノイズ除去装置の外部端子に接続した状態図。図２（ａ）は、ケーブルを下方より配線して接続した場合の部分拡大斜視図。図２（ｂ）は、ケーブルを斜め上方より配線して接続した場合の部分拡大斜視図。
【図３】従来のノイズ除去装置を説明する斜視図。
【発明を実施するための最良の形態】
【００２５】
以下、本発明の実施の形態について図面を用いて詳述する。
【００２６】
図１は、本発明のノイズ除去装置を説明する図で、図１（ａ）は斜視図で、図１（ｂ）は、外部端子を分解した拡大斜視図である。本発明のノイズ除去装置１は、筐体２と、筐体２に収納した図示していないコイルやコンデンサ、サージアブソーバ、バリスタなどが回路基板等に実装されたノイズ除去回路と、筐体２の対向する二つの側面に配置された電気絶縁材からなる絶縁部３と、絶縁部３を介して筐体内部のノイズ除去回路と電気的に接続された外部端子４と、前記ノイズ除去回路の一部が接地された図示していない金属導体板の底部とから形成されている。
【００２７】
筐体２は、電気絶縁性の樹脂を成形加工したり、内面に電気絶縁処理が施された金属板などをプレス成形加工したりすることで箱状に形成している。
【００２８】
絶縁部３は、電気絶縁性の樹脂を成形加工して板状に形成している。
なお、絶縁部３には、筐体２の内部に収納されたノイズ除去回路と外部とを接続するための貫通孔等を備えている。
また、絶縁部３は、電気用品安全法等に定められた電気絶縁性を得るための沿面距離や樹脂肉厚を満足し、かつ難燃性の面でも満足されるように形成する必要がある。
【００２９】
外部端子４は、第１導電部５及び第１ネジ８と、第２導電部６及び第２ネジ９と、端子接続部７及び端子ネジ１０とから構成される。
なお、第１導電部５及び第１ネジ８と、第２導電部６及び第２ネジ９と、端子接続部７及び端子ネジ１０とは、比抵抗が低い銅を主体とした銅合金等を加工して形成し、その表面には、接触抵抗が小さく、磨耗や酸化、腐食に強い表面処理等を施して形成している。
【００３０】
第１導電部５は、円柱に形成されている一方の端面５１の中央に第１ネジ８に螺合する第１ネジ穴５２を設け、他方の端面を絶縁部３の外面と対向するように配置して形成している。なお、第１導電部５は、絶縁部３の貫通孔等を介してノイズ除去回路と電気的に接続している。また、第１導電部５は、円柱状としているが柱状であれば良く、例えば、四角形や、六角形、八角形であっても良い。なお、端面５１の中央に第１ネジ８と螺合する第１ネジ穴５２を形成することにより、円柱状の第１導電部５の径を大きく設計できる。
【００３１】
第２導電部６は、第１導電部５の円柱の直径と等しい辺の長さを有する立方体に形成している。第２導電部６には、一つの対向面の中央を貫通する円形の第１貫通孔５３を設け、該対向面の側面に第２ネジ９に螺合する第２ネジ穴６２を設けている。
【００３２】
第２導電部６は、第１貫通孔５３を設けた面の一方を第１導電部５の第１ネジ穴５２を有する端面と対向するように配置し、第２導電部６の第１貫通孔５３に第１ネジ８を挿通してネジ止めされ、第１導電部５に対して電気的に接続されて形成している。なお、端面５１と対向しない第１貫通孔５３を有した第２導電部６の面には、第１ネジ８の頭を収納される凹状の窪みを形成することにより、第１ネジ８の頭を露出しないように形成することができる。
【００３３】
上述のように形成することにより、第２導電部６は、第１ネジ８の先を第１貫通孔５３に挿通してネジ止めすることで第１導電部５の端面５１に対して、第１貫通孔５３を軸に第２導電部６の接合する面を任意の回転角度に調整でき、かつノイズ除去回路と電気的に接続されている第１導電部５と第２導電部６との電気的接続も得ることができる。
【００３４】
端子接続部７は、第２導電部６と等しい大きさの立方体に形成している。端子接続部７には、一つの対向面の中央を貫通する円形の第２貫通孔６３を設け、該対向面の側面の端子接続面７１に端子ネジ１０に螺合する端子ネジ穴７２を設けている。
【００３５】
端子接続部７は、第２貫通孔６３を設けた面の一方を第２導電部６の第２ネジ穴６２を有する端面と対向するように配置し、端子接続部７の第２貫通孔６３に第２ネジ９を挿通してネジ止めされ、第２導電部６に対して電気的に接続されて形成している。なお、第２ネジ穴６２を有する面と対向しない第２貫通孔６３を有した端子接続部７の面には、第２ネジの頭を収納される凹状の窪みを形成している。
【００３６】
上述のように形成することにより、端子接続部７は、第２ネジ９の先を第２貫通孔６３に挿通してネジ止めすることで第２導電部６の第２ネジ穴６２を有する面に対して、第２貫通孔６３を軸に端子接続部７の端子接続面７１を回転させて調整でき、かつ第２導電部６と端子接続部７との電気的接続も得ることができる。よって、端子接続面７１は、第１貫通孔５３と第２貫通孔６３と二つの軸の回転自由度を持ち、任意に角度を調整することができる。
【００３７】
第１導電部５と第２導電部６と、及び第２導電部６と端子接続部７と、及び端子接続部７と端子ネジ１０の頭との間には、導電性のスプリングワッシャーや平ワッシャーなどを配して形成することにより、電気的接続の信頼性を向上することができる。
【００３８】
第２導電部６の第１貫通孔５３が設けられた面の辺は、第１導電部５の第１ネジ穴５２を有する端面５１を含む平面上における、第１ネジ穴５２を中心とした端面の形状に外接する円の直径より長く形成することにより、第２貫通孔６３を軸に端子接続部７を第１導電部５に接触しないで回転させることができる。
【００３９】
端子接続部７の第２貫通孔６３が設けられた面の対角線は、第２導電部６の第２ネジ穴６２を有する面の辺の長さより短く形成することにより、第２貫通孔６３を軸に端子接続部７を第１導電部５に接触しないで回転させることができる。
【００４０】
外部端子４は、いかように回転させて固定した場合であっても隣接する外部端子４や、筐体２等との間を電気絶縁性の規格で求められる沿面距離や、空間距離を満足するように形成するのが好ましい。
【実施例】
【００４１】
（実施例１）
実施例１として、図１に示すようなノイズ除去装置１を作製した。
【００４２】
厚み０．６ｍｍの亜鉛クロメートメッキが施された鋼板をプレス成形して長さ１８０ｍｍ、幅１２０ｍｍ、高さ６０ｍｍとなる対向する二つの側面が開放された箱状の筐体２を形成した。
【００４３】
筐体２の内面には、図示していないポリエステルフィルム等の電気絶縁性のシートを配して形成した。筐体２の中には、以下図示していないコモンモードチョークコイルと、フィルムコンデンサと、セラミックコンデンサと、サージアブソーバと、抵抗とが実装されて逆Ｌ型ローパスフィルタに配線され、定格がＡＣ２００Ｖ、２０Ａの電源に使用できるノイズ除去回路を収納して形成した。
【００４４】
筐体２の開放された二つの側面には、フェノール樹脂を成形加工して幅１２０ｍｍ、高さ６０ｍｍ、厚み５ｍｍの板状の絶縁部３を形成した。一方の絶縁部には、三相交流電源の入力とノイズ除去回路とを夫々接続するための直径が５ｍｍの図示していない貫通孔を４０ｍｍの高さ位置で、絶縁部３の左端から２０ｍｍの位置と、６０ｍｍの位置と、１００ｍｍの位置とに一列に三つ形成し、他方の絶縁部３には、三相交流電源の出力とノイズ除去回路とを夫々接続するための図示していない貫通孔を同様に三つ形成した。
【００４５】
第１導電部５は、表面にニッケルメッキ加工が施された黄銅を直径９．５ｍｍ、高さ１５ｍｍの円柱に形成した。一方の端面５１の中央には、ＪＩＳ規格Ｍ４サイズの六角穴付ネジの第１ネジ８に螺合する雌ネジの第１ネジ穴５２を垂直に設け、絶縁部３の貫通孔等を介してノイズ除去回路と電気的に接続された他方の端面を絶縁部３の外面と対向するように固定して形成した。
【００４６】
第２導電部６は、表面にニッケルメッキ加工が施された黄銅を一辺が１０ｍｍの立方体に形成した。一つの対向面の中央には、第１ネジ８の先を挿通できる直径４．５ｍｍの第１貫通孔５３を設け、該対向面の側面には、ＪＩＳ規格Ｍ４サイズの六角穴付ネジの第２ネジ９に螺合する雌ネジの第２ネジ穴６２を垂直に設けた。第１貫通孔５３を有した端面５１と接しない面の中央には、第１ネジ８の頭を収納できる直径８．５ｍｍ、深さ４．５ｍｍの窪みを形成した。第２導電部６は、第１貫通孔５３に第１ネジ８を挿通してネジ止めすることで第１導電部５の端面５１に対して、第１貫通孔５３を軸に第２導電部６を任意の回転角度に調整することができ、かつ電気的接続も得られた。
【００４７】
端子接続部７は、表面にニッケルメッキ加工が施された黄銅を一辺が１０ｍｍの立方体に形成した。一つの対向面の中央には、第２ネジ９の先を挿通できる直径４．５ｍｍの第２貫通孔６３を設け、該対向面の側面には、端子接続面７１を設け、端子接続面７１には、ＪＩＳ規格Ｍ４サイズの六角穴付ネジの端子ネジ１０に螺合する雌ネジの端子ネジ穴７２を垂直に設けた。第２貫通孔６３を有した第２導電部６と接しない端子接続部７の面の中央には、第１ネジ８の頭を収納できる直径８．５ｍｍ、深さ４．５ｍｍの窪みを形成した。端子接続部７は、第２貫通孔６３に第２ネジ９を挿通してネジ止めすることで第２導電部６に対して、第２貫通孔６３を軸に端子接続部７を任意の回転角度に調整することができ、かつ電気的接続も得られた。
【００４８】
端子ネジ穴７２には、材質が黄銅で表面にニッケルメッキが施されたＪＩＳ規格Ｍ４サイズのなべネジの端子ネジ１０を用いてネジ止めすることで図示していないケーブルの端部に設けられた圧着端子等を端子ネジ１０の頭で固定でき、かつ電気的接続も得ることができた。なお、端子接続面７１は、第２貫通孔６３が形成された面以外の全ての面に形成することができた。なお、第１導電部５と第２導電部６と、及び第２導電部と端子接続部と、及び端子接続部と端子ネジの頭との間には、導電性のスプリングワッシャーや平ワッシャーなどを配して緩みを生じることなく形成することができた。なお、端子接続面７１と端子ネジ１０との間には、ニッケルメッキが施され、孔が形成された黄銅製の押さえ板を挟み込みながらケーブルの端部に設けられた圧着端子の円環を端子ネジ１０の頭で固定でき、かつ電気的接続も得ることができた。
【００４９】
上述した通り形成することにより、外部端子４の端子接続面７１を所望の面の角度に調整してケーブルの端子を接続できるノイズ除去装置１が得られた。
【００５０】
図２は、圧着端子を有したケーブルをノイズ除去装置の外部端子に接続した状態図で、図２（ａ）は、ケーブルを斜め下方より配線して接続した場合の部分拡大斜視図で、図２（ｂ）は、ケーブルを斜め上方より配線して接続した場合の部分拡大斜視図である。
【００５１】
圧着端子２０は、導電性の金属からなり、端子ネジ１０を挿入できる孔を備えた円環状の接続部２１と、前記円環と直交する方向にケーブル２３の導体を挿入してかしめることができる円筒状のかしめ部２２とが導電性の金属板によって連通されて形成した。
【００５２】
図示していないノイズ除去装置の外部端子は、第１ネジ８と第２ネジ９を用いて接続部２１に対して外部端子の端子接続面７１の角度を各々回転して調整することにより、ケーブル２３や圧着端子２０、かしめ部２２などにストレスを与えることなく外部端子４に接続することができた。なお、端子ネジ１０と圧着端子２０との間には、図示していないがスプリングワッシャーと平ワッシャーとを配して形成した。
【００５３】
以上、実施例を用いて、この発明の実施の形態を説明したが、この発明は、これらの実施例に限られるものではなく、この発明の要旨を逸脱しない範囲の設計変更があっても本発明に含まれる。すなわち、当業者であれば、当然なしえるであろう各種変形、修正もまた本発明に含まれる。
【符号の説明】
【００５４】
１    ノイズ除去装置
２    筐体
３    絶縁部
４    外部端子
５    第１導電部
６    第２導電部
７    端子接続部
８    第１ネジ
９    第２ネジ
１０    端子ネジ
２０    圧着端子
２１    接続部
２２    かしめ部
２３    ケーブル
５１    端面
５２    第１ネジ穴
５３    第１貫通孔
６２    第２ネジ穴
６３    第２貫通孔
７１    端子接続面
７２    端子ネジ穴
【図１】
2010166204.tif 000003
【図２】
2010166204.tif 000004
【図３】
2010166204.tif 000005